(57)【要約】【課題】容器の変形を防ぐと共に、角部に隙間が生じることを防ぐことができる。【解決手段】前面板２と、前面板２底部と第一の折線６を介して連接する後面板３と、前面板２の側部と第二の折線７を介して連接する糊代板４とを備え、後面板３が第一の折線６で折り返されて前面板２と接触し、糊代板４が第二の折線７で折り返されて後面板３に接着されて、第一の折線６と同一直線状で連続する第三の折線８を介して糊代板４の底部と連接すると共に、後面板３が折り返された状態で第二の折線７と重なる第四の折線９を介して後面板３の側部と連接する折込板５を備える。【選択図】図２
2011031924.tif 000002
【特許請求の範囲】
【請求項１】
前面板と、
前記前面板の底部と第一の折線を介して連接する後面板と、
前記前面板の側部と第二の折線を介して連接する糊代板とを備え、前記第一の折線で前記後面板が前記前面板側に折り返されて、前記第二の折線で前記糊代板が前記後面板側に折り返されて前記後面板に接着され、前記前面板と前記後面板との間に収容物が収容される容器であって、
前記第一の折線と同一直線状で連続する第三の折線を介して前記糊代板と連接すると共に、前記後面板が折り返された状態で前記第二の折線と重なる第四の折線を介して前記後面板と連接する折込板を備えることを特徴とする容器。
【請求項２】
前記折込板は前記後面板に接着されることを特徴とする請求項１に記載の容器。
【請求項３】
前記前面板または前記後面板の上部には第五の折線を介して蓋板が連接されていることを特徴とする請求項１または２に記載の容器。
【発明の詳細な説明】
【技術分野】
【０００１】
本発明は、容器に関し、特に、調理済みの食品を収容し保温状態で陳列される容器に関する。
【背景技術】
【０００２】
従来、コンビニエンスストアやスーパーマーケットなどに調理済みの食品を保温した状態で陳列するショーケースが置かれている。これらのショーケースに陳列される例えばフライドポテトなどの食品は紙製の容器に収容されていて、紙製の容器には紙シートを箱状に組み立てたものや、紙シートを折りたたんで袋状にしたものなどがよく使用されている。
また、容器に収容された食品を加熱するための容器も提案されており、特許文献１によれば、少量の食品を電子レンジで加熱するためのパッケージが提案されている。このパッケージは水平表面に対して約０°から約９０°の間の角度でパッケージを支持する手段を備えていて、食品を良好な状態に加熱することができる。
【先行技術文献】
【特許文献】
【０００３】
【特許文献１】特表２００２−５３７１９８号公報
【発明の概要】
【発明が解決しようとする課題】
【０００４】
しかしながら、従来の容器では以下のような問題があった。
従来の、紙シートを組み立てたり折りたたんだりして形成された容器では、時間の経過と共に下部側が弛んでしまい容器が変形して倒れることがあった。また、紙シートを組み立てたり折りたたんだりした容器には隙間ができてしまい、特に容器の下部側に隙間がある場合には、食品から出た油分や液分がこの隙間から流出しショーケースや店内また使用者の衣類などを汚してしまうおそれがあった。
【０００５】
本発明は、上述する事情に鑑みてなされたもので、変形を抑制できると共に、下部側に隙間がない容器を提供することを目的とする。
【課題を解決するための手段】
【０００６】
上記目的を達成するため、本発明に係る容器は、前面板と、前面板の底部と第一の折線を介して連接する後面板と、前面板の側部と第二の折線を介して連接する糊代板とを備え、第一の折線で後面板が前面板側に折り返されて、第二の折線で糊代板が後面板側に折り返されて後面板に接着され、前面板と後面板との間に収容物が収容される容器であって、第一の折線と同一直線状で連続する第三の折線を介して糊代板と連接すると共に、後面板が折り返された状態で第二の折線と重なる第四の折線を介して後面板と連接する折込板を備えることを特徴とする。
本発明では、第一の折線と同一直線状で連続する第三の折線を介して糊代板と連接すると共に、後面板が折り返された状態で第二の折線と重なる第四の折線を介して後面板と連接する折込板を備えている。そして、後面板および糊代板が折り返されると、折込板が前面板と後面板との間の下部側に重なって折り込まれるので、前面板と後面板との間の下部側の強度を高めることができると共に、前面板と後面板との間の下部側の隙間を無くすことができる。
【０００７】
また、本発明に係る容器では、前記折込板は前記後面板に接着されることを特徴とする。
本発明では、折込板は後面板に接着されることにより、折込板と後面板との間の隙間をなくすことができる。
【０００８】
また、本発明に係る容器では、前記前面板または前記後面板の上部には第五の折線を介して蓋板が連接されていてもよい。
本発明では、蓋板を設けることによって、容器の開口を覆うことができる。
【発明の効果】
【０００９】
本発明によれば、後面板および糊代板が折り返されると、折込板が前面板と後面板との間の下部側に糊代板と重なって折り込まれるので、前面板と後面板との間の下部側の強度が高まり容器の変形による転倒を防ぐと共に、前面板と後面板との間の下部側の隙間を無くして、収容物が前面板と後面板との間から流出することを防ぐことができる。
【図面の簡単な説明】
【００１０】
【図１】本発明の第一の実施の形態による容器の一例を示す斜視図である。
【図２】図１に示す容器の展開平面図である。
【図３】（ａ）、（ｂ）は容器の形成方法を説明する図である。
【図４】第二の実施の形態による容器の一例を示す斜視図である。
【発明を実施するための形態】
【００１１】
以下、本発明の第一の実施の形態による容器について、図１乃至図３に基づいて説明する。
図１に示すように、本実施の形態による容器１は、例えばフライドポテトなどの調理済みの食品（収容物）などを収容する容器で、図２に示すような形抜きされた一枚の紙シート１０を折線で折り込み、所定の位置を接着して形成された折り込み容器である。
図１、２に示すように、容器１は、前側に位置する前面板２と、後側に位置する後面板３と、前面板２と連接する糊代板４と、後面板３および糊代板４と連接する折込板５とから概略構成されている。なお、本実施の形態では、容器１が形成された際に底部となる側を下側とし、開口を有する側を上側として以下説明する。
【００１２】
図２に示すように、前面板２は、下側の辺が上側の辺よりも短い略台形をしている。前面板２は上端部に凹凸が設けられている。なお、この凹凸部は無くてもよい。
後面板３は、前面板２と同形の略台形が側部の上部側が切除された形状をしており、凹部３ａが形成されている。後面板３は、その下側が前面板２の下側と第一の折線６を介して連接している。
後面板３は第一の折線６を介して前面板２側に折り返される。
【００１３】
図３（ａ）に示すように、前面板２には、第一の折線６で折り返された後面板３が重なった際に、後面板３の凹部３ａに対応する部分に、その上端部から下方に向かう曲線状の前面板折り曲げ線２ａが型押しされている。前面板折り曲げ線２ａの下端部は、後述する折込板５の上端部の高さか、この上端部のやや上方に位置している。前面板折り曲げ線２ａは、その線上で前面板２を折り曲げやすくするためのものである。
【００１４】
図２に示すように、糊代板４は、前面板２の側部と第二の折線７を介して連接していて、前面板２の幅寸法の、例えば約１／４ないし約１／２の幅に形成されている。
糊代板４は、第一の折線６で折り返された状態の後面板３側に第二の折線７で折り返されて、後面板３に接着される。
糊代板４には、前面板折り曲げ線２ａを第二の折線７を基準として反転させた位置に糊代板折り曲げ線４ａが型押しされている。糊代板折り曲げ線４ａは、その線上で糊代板４を折り曲げやすくするためのものである。
【００１５】
折込板５は、糊代板４と第三の折線８を介して連接する共に、後面板３と第四の折線９を介して連接している。
第三の折線８は、第一の折線６と同一直線状で連続している。後面板３が第一の折線６で折り返されると、折込板５も第三の折線８で糊代板４側に折り返されて糊代板４と折込板５とは重なった状態となる。
第四の折線９は、後面板３および折込板５が第一および第三の折線６、８で折り返された状態で、第二の折線７と重なる位置に設けられている。
折込板５が第三の折線８で折り返されて、重なった状態となった折込板５と糊代板４とが第二および第四の折線７、９で後面板３側に折り返される。
第四の折線９は、上側の先端部が５ｍｍ程切り込まれていてスリット９ａが形成されている。
【００１６】
次に、上述した紙シート１０から容器１を形成する方法を説明する。
まず、図３（ａ）に示すように、第一の折線６で後面板３を折り返し、後面板３が前面板２と重なった状態とする。このとき折込板５も第三の折線８で折り返されて、折込板５が糊代板４に重なった状態となる。
次に、重なる位置に設けられた第二および第四の折線７、９で糊代板４および折込板５を図３（ｂ）に示すように後面板３側に折り返す。このとき、第四の折線９にスリット９ａ（図３（ａ）参照）が形成されていることにより、第四の折線９での折込板５の折り返し時の抵抗が軽減される。
そして、糊代板４および折込板５と後面板３とが接触する部分を接着剤などで接着する。このとき、糊代板４のみを後面板３に接着してもよい。
そして、前面板２と後面板３との間を上側から広げ、前面板２および糊代板４を前面板折り曲げ線２ａおよび糊代板折り曲げ線４ａで折り曲げることにより、前面板２と後面板３との間に間隔ができて、図１に示すような容器１が形成される。
このとき、後面板３と糊代板４とが折り返されると折込板５も折り込まれて、前面板２と後面板３との間の底部側には、糊代板４と折込板５とが重なって設置された状態となる。
【００１７】
次に、上述した第一の実施の形態による容器１の作用効果について図面を用いて説明する。
本実施の形態の容器１によれば、容器１は、前面板２と後面板３との間の底部側に糊代板４と折込板５とが重なって設置されていることにより、底部側が補強されて損傷や変形を抑制が抑制され、変形による転倒を防ぐことができる作用効果を奏する。
また、容器１の底部は、折り込んだ前面板２と後面板３で仕切られて、その両端は糊代板４と折込板５とで折り込んで仕切られているので、前面板２と後面板３との間に隙間ができず、容器１の内部に収容された食品などの油分や液分が流出することを防ぐことができる。
【００１８】
次に、他の実施の形態について、添付図面に基づいて説明するが、上述の第一の実施の形態と同一又は同様な部材、部分には同一の符号を用いて説明を省略し、第一の実施の形態と異なる構成について説明する。
図４に示すように、第二の実施の形態による容器１１は、後面板１３の上端部に第五の折線２０を介して蓋板２１が連接されている。蓋板２１は、第五の折線２０を介して前方へ折り曲げることで、容器１１の開口部１１ａを覆うことができる。蓋板２１は端部に差込部２１ａを備えており、この差込部２１ａを前面板１２に設けられた切込み部１２ａに挿入することによって固定される。
第二の実施の形態による容器１１では、第一の実施の形態と同様の作用効果を奏すると共に、容器１１の開口部１１ａを覆うことができる。
【００１９】
以上、本発明による容器の実施の形態について説明したが、本発明は上記の実施の形態に限定されるものではなく、その趣旨を逸脱しない範囲で適宜変更可能である。
例えば、上述した実施の形態では、容器１を紙シートで形成されているが、紙シートに代わって、樹脂製のシートなどで形成されてもよい。
また、例えば、上記の実施の形態では、後面板３は、前面板２と同形の略台形の側部の上部側が切除された形状をしているが、前面板２と同形の略台形としてもよく、糊代板４の折り曲げ線４ａと重なる位置に折り曲げ線を設けてもよい。
また、例えば、上記の実施の形態では、第四の折線９は上側の先端部が５ｍｍ程切り込まれていてスリット９ａが形成されているが、切り込みの長さは任意に設定してよく、スリット９ａが形成されていなくてもよい。
また、例えば、上記の第二の実施の形態では、蓋板２１は後面板１３に連接されているが、後面板１３に代わって前面板１２に連接して蓋板２１を設けて、後面板１３に切り込み部を設けてもよい。
また、例えば、上記の第二の実施の形態において、第五の折線２０をミシン目としてもよく、後面板１３と蓋板２１とが容易に分離できる構成としてもよい。
【符号の説明】
【００２０】
１、１１  容器
２、１２  前面板
３、１３  後面板
４  糊代板
５  折込板
６  第一の折線
７  第二の折線
８  第三の折線
９  第四の折線
２０  第五の折線
２１  蓋板
【図１】
2011031924.tif 000003
【図２】
2011031924.tif 000004
【図３】
2011031924.tif 000005
【図４】
2011031924.tif 000006